(57)【特許請求の範囲】
【請求項１】
複数のセグメントが締結具で連結されて構成され、河川の上流側に対向するように設けられる上流壁部と、
複数のセグメントが締結具で連結されて構成され、河川の下流側に対向するように設けられる下流壁部と、
を備える堰堤であって、
前記上流壁部と前記下流壁部のうち、少なくとも一方の壁部を構成するセグメントの一部又は全部が、当該壁部の外側で当該セグメントに隣接するセグメントに前記締結具によって連結されていることを特徴とする堰堤。
【請求項２】
前記締結具は、ボルトと、
当該ボルトに螺合するナットと、
を備えることを特徴とする請求項１に記載の堰堤。
【請求項３】
前記セグメントは、隣接するセグメントと連結する際に前記ボルトを挿通する孔を有し、
前記ナットは、前記孔と同一軸線上に前記セグメントに固定されていることを特徴とする請求項２に記載の堰堤。
【請求項４】
前記セグメントは、河川の上流から流れてくるものを受けるプレートと、
前記プレートの外縁に立設され、前記孔が形成されたリブと、
を備え、
前記壁部を構成する一部のセグメントは、前記孔が前記壁部の外側に露出するように、他のセグメントと表裏逆向きに配置されており、
前記一部のセグメントに隣接し、前記孔が前記壁部の内側に露出するセグメントには、当該孔と同一軸線上に前記ナットが固定されていることを特徴とする請求項３に記載の堰堤。
【請求項５】
前記上流壁部と前記下流壁部との間に形成される空間内に充填される中詰材と、
一端が前記一部のセグメントに設けられた係止片に連結され、他端が前記中詰材に埋設される第１の補強部材と、
一端が前記他のセグメントの前記孔に連結され、他端が前記中詰材に埋設される第２の補強部材と、
を備えることを特徴とする請求項４に記載の堰堤。
【請求項６】
前記壁部を構成する前記セグメントの全部が、当該壁部の外側で前記締結具によって連結されていることを特徴とする請求項１から３までのいずれか１項に記載の堰堤。
【請求項７】
前記係止片は、隣接するセグメント間に挟持されていることを特徴とする請求項５に記載の堰堤。
【請求項８】
前記孔が前記壁部の外側に露出するように配置されている前記セグメントが、前記河川の少なくとも一方の岸に隣接する袖部に配置されていることを特徴とする請求項３に記載の堰堤。
【発明の詳細な説明】
【技術分野】
【０００１】
本発明は、河川に設けられる堰堤に関する。
【背景技術】
【０００２】
土石流等の発生による災害を防ぐ砂防堰堤が知られている。この砂防堰堤は、河川の上流側に対向するように設けられる上流壁部と、河川の下流側に対向するように設けられる下流壁部とを備えている。砂防堰堤の中には、複数の鋼矢板を連結して上流壁部が構築されているものがある。両壁部の間に形成される空間内には、中詰材として、ソイルセメントが打設される。
【０００３】
この上流壁部は、両側縁にグリップ形状のスライドジョイント部を備える鋼矢板を、スライドジョイント部を接合して互いに連結させることで構成されている。鋼矢板は、互いに離間して配置した２つの鋼矢板の間に、さらに鋼矢板を、スライドジョイント部を接合させながら立て込んで継ぎ足されていく（例えば、特許文献１参照）。
【０００４】
他の上流壁部として、両側部に、第１継手部及び第２継手部が設けられているフランジ部を備える複数の鋼矢板を連結してなるものがある。隣接する鋼矢板の一方の第１継手部と、この第１継手部に隣接して配置される他方の鋼矢板の第２継手部を係合して、隣接する鋼矢板同士を連結する（例えば、特許文献２）。
【先行技術文献】
【特許文献】
【０００５】
【特許文献１】特許第４０６０１３５号公報
【特許文献２】特開２０１４−２１４５３２号公報
【発明の概要】
【発明が解決しようとする課題】
【０００６】
ところで、堰堤の中詰材として打設されるソイルセメントは、時間の経過とともに性状が変化したり、劣化したりするため、定期的に点検する必要がある。また、壁部を構成する鋼矢板が、流下物の衝突によって損傷する場合もあり、損傷した鋼矢板を交換する必要性が生じることもある。
【０００７】
しかし、堰堤の点検・補修時に、特許文献１のように、鋼矢板がスライドジョイント部を介して互いに連結されている場合、スライドジョイント部における連結を解除するために、鋼矢板を再度、引き抜く必要がある。特許文献２のように、鋼矢板が継手部を介して互いに連結されている場合には、継手部同士の係合を解除しなければならない。鋼矢板同士の連結の解除は、鋼矢板を長手方向にスライドさせるしかないため、堰堤の施工後の作業は極めて困難である。そのため、ソイルセメントの状態の点検、及び損傷した鋼矢板の交換をするためには、対象となる鋼矢板を切断しなければならない。
さらに、ソイルセメントの点検、鋼矢板の交換後には、鋼矢板を切断した部分を補修しなければならず、堰堤の点検・補修時の作業は、手間のかかるものとなっていた。
【０００８】
そこで、本発明は、上記課題に鑑みてなされたものであり、壁部を構成するセグメントの連結構造を改良して、ソイルセメントのような中詰材の点検作業、及び損傷したセグメントの交換作業を軽減することができる堰堤を提供することを目的とする。
【課題を解決するための手段】
【０００９】
上記目的を達成するために、本発明は、複数のセグメントが締結具で連結されて構成され、河川の上流側に対向するように設けられる上流壁部と、複数のセグメントが締結具で連結されて構成され、河川の下流側に対向するように設けられる下流壁部と、を備える堰堤であって、前記上流壁部と前記下流壁部のうち、少なくとも一方の壁部を構成するセグメントの一部又は全部が、当該壁部の外側で当該セグメントに隣接するセグメントに連結されていることを特徴としている。
【００１０】
また、前記締結具は、ボルトと、当該ボルトに螺合するナットと、を備えることが好ましい。
【００１１】
また、前記セグメントは、隣接するセグメントと連結する際に前記ボルトを挿通する孔を有し、前記ナットは、前記孔と同一軸線上に前記セグメントに固定されていることが好ましい。
【００１２】
また、前記セグメントは、河川の上流から流れてくるものを受けるプレートと、前記プレートの外縁に立設され、前記孔が形成されたリブと、を備え、前記壁部を構成する一部のセグメントは、前記孔が前記壁部の外側に露出するように、他のセグメントと表裏逆向きに配置されており、前記一部のセグメントに隣接し、前記孔が前記壁部の内側に露出するセグメントには、当該孔と同一軸線上に前記ナットが固定されていることが好ましい。
【００１３】
また、前記上流壁部と前記下流壁部との間に形成される空間内に充填される中詰材と、一端が前記一部のセグメントに設けられた係止片に連結され、他端が前記中詰材に埋設される第１の補強部材と、一端が前記他のセグメントの前記孔に連結され、他端が前記中詰材に埋設される第２の補強部材と、を備えることが好ましい。
【００１４】
また、前記壁部を構成する前記セグメントの全部が、当該壁部の外側で前記締結具によって連結されていることが好ましい。
【００１５】
また、前記係止片は、隣接するセグメント間に挟持されていることが好ましい。
【００１６】
また、前記孔が前記壁部の外側に露出するように配置されている前記セグメントが、前記河川の少なくとも一方の岸に隣接する袖部に配置されていることが好ましい。
【発明の効果】
【００１７】
本発明によれば、堰堤内部の中詰材の点検作業、及び損傷したセグメントの交換作業を大幅に軽減することができる。
【図面の簡単な説明】
【００１８】
【図１】堰堤の一部を断面視した斜視図である。
【図２】第１の実施形態の堰堤の上流壁部を、堰堤内側から見た斜視図である。
【図３】図２に示したセグメント同士の連結構造を説明する図であり、図３（ａ）は、堰堤外側から見た斜視図であり、図３（ｂ）は、堰堤内側から見た斜視図である。
【図４】図２に示したセグメントへの、補強部材の取付構造を説明する図である。
【図５】第２の実施形態の堰堤の上流壁部を、堰堤内側から見た斜視図である。
【図６】図５に示したセグメント同士の連結構造を説明する図であり、図６（ａ）は、堰堤外側から見た斜視図であり、図６（ｂ）は、堰堤内側から見た斜視図である。
【図７】図５に示したセグメントへの、補強部材の取付構造を説明する図である。
【発明を実施するための形態】
【００１９】
本発明の好ましい実施形態について、図面を参照しながら説明する。なお、以下に示す実施形態は一例であり、本発明の範囲において、種々の実施形態をとりうる。
【００２０】
［第１の実施形態］
＜堰堤の構成＞
図１は、河川に設けられる不透過型の砂防用の堰堤１の斜視図であり、一部を断面視している。
図１に示すように、堰堤１は、基礎部２と、上流壁部３と、下流壁部４と、中詰材５とを備えている。堰堤１の袖部は河川の岸に連続している。
【００２１】
１．基礎部
基礎部２は、コンクリートで形成されており、河川の流れる方向に直交する方向（河川の幅方向）に沿って、河川の底部に設けられている。基礎部２は、２つ設けられており、上流側と下流側とに所定の間隔をあけて配置されている。
各基礎部２の上面は、それぞれ平面状に形成されており、上流側の基礎部２の上面に上流壁部３が設けられ、下流側の基礎部２の上面に下流壁部４が設けられている。
基礎部２と、上流壁部３との間には、断面略Ｌ字状に形成された底面通し材２１が設けられている（図４、図７参照）。底面通し材２１は、例えばアンカーボルトによって基礎部２の上面に固定されている。
【００２２】
２．上流壁部
図２は、上流壁部３を堰堤１の内側から見た斜視図である。上流壁部３は、上流側の基礎部２の上面に設けられていることから、上流壁部３は、河川の上流側に対向するように設けられている。
【００２３】
上流壁部３は、複数のセグメント３１が締結具３２によって連結されて構成されており、補強部材３５によって補強されている。
【００２４】
（セグメント）
セグメント３１は、河川の上流から流れてくる、主に、例えば岩石、木材等を受けるプレート３３と、プレート３３の各縁に対して立設され、溶接等によって接合されているリブ３４とを有している。
【００２５】
プレート３３は、平面視矩形状に構成されており、例えば、鋼板を波形状に湾曲させて形成したものである。プレート３３は、リブ３４が接合できるものであれば、鋼板に限られることはない。また、プレート３３は、波形状に形成したものだけに限らず、平板状の鋼板を使用してもよい。プレート３３は、短辺方向の両側端部が平板状に形成されており、他の部分が短辺方向に沿ってプレート３３の厚さ方向に凹凸する波形状に形成されている。
【００２６】
リブ３４は、例えば、プレート３３に溶接によって接合できる鋼板から形成されている。リブ３４は、矩形状に形成されたプレート３３の各縁にそれぞれ接合されている。すなわち、１つのセグメント３１において、１つのプレート３３と４つのリブ３４が設けられている。隣接するリブ３４同士は、互いの主面方向が直角となるように、対向するリブ３４同士は互いの主面方向が平行となるように配置されている。各リブ３４は、隣接するセグメント３１同士を互いに連結して固定する締結具３２を挿通する複数の孔３４ａが形成されている。各孔３４ａは、その中心がリブ３４の各短手方向端縁（長い方の縁部）から同じ距離に位置するように形成されている。すなわち、各孔３４ａは、セグメント３１を表裏逆にして積み重ねた場合においても、各孔３４ａの位置が合致するように形成されている。各リブ３４の各孔３４ａは、プレート３３にリブ３４を接合してセグメント３１を製作した際に、プレート３３の一方の面側に位置している。隣接するセグメント３１同士を上下方向に互い違いに配置した状態において、隣接する双方のセグメント３１の孔３４ａは、同一軸線上に位置があった状態とされている。
矩形状に形成されたプレート３３の長手方向の両縁は、プレート３３の製作時にフランジ状に折り曲げられて、プレート３３に一体成形されたリブ３４としてもよい。
なお、隣接するセグメント３１の間にはシール部材としての止水テープ（図示せず）を貼りつけてもよい。
【００２７】
図２に示すように、隣接するセグメント３１は、それぞれの上下端縁が、互いに同じ高さにならないように上下方向に互い違い（千鳥状）に配置されている。上流壁部３を構成する複数のセグメント３１のうち、一部のセグメント３１ａは、他のセグメント３１ｂに対して表裏逆向きに配置されている。すなわち、一部のセグメント３１ａは、リブ３４の孔３４ａが堰堤１の外側に露出するように配置されており、他のセグメント３１ｂは、リブ３４の孔３４ａが堰堤１の内側に露出するように配置されている。このとき、一部のセグメント３１ａと他のセグメント３１ｂは、ともに同じ構成であり、孔３４ａの位置もその中心がリブ３４の各短手方向端縁（長い方の縁部）から同じ距離に位置するように形成されているため、裏返しに用いたとしても連結する際に締結部３２を孔３４ａに問題なく挿通することができる。
【００２８】
（締結具）
締結具３２は、隣接するセグメント３１同士を連結するものである。締結具３２は、ボルト３２ａと、このボルト３２ａに螺合するナット３２ｂ（図２参照）とを備えている。セグメント３１ｂ同士は、上流壁部３の内側で、ボルト３２ａを、連結される双方のセグメント３１ｂの孔３４ａに挿通し、挿通した側とは反対側にあるセグメント３１ｂ側でナット３２ｂを介して締め付けることで連結されている。
なお、図２においては、図面を見やすくするために、セグメント３１同士を連結する一部のボルト３２ａ及びナット３２ｂのみを示した。
【００２９】
図３（ａ）、（ｂ）に、セグメント３１ａとセグメント３１ｂとの連結構造を示す。
図３（ａ）は、連結されるセグメント３１ａ、３１ｂを上流壁部３の外側上方から拡大視した斜視図である。セグメント３１ａは、セグメント３１ｂとは、表裏逆向きに配置されており、セグメント３１ａの孔３４ａは、上流壁部３の外側に露出している。
セグメント３１ａは、各リブ３４において、セグメント３１ｂに連結されている。セグメント３１ａ、３１ｂは、セグメント３１ｂ同士を連結する場合と同様、双方の孔３４ａ同士が整合するように配置されている。よって、セグメント３１ａの外側から挿通したボルト３２ａは、セグメント３１ｂの内側に露出している孔３４ａにも挿通されている。
図３（ｂ）は、連結されるセグメント３１ａ、３１ｂを、上流壁部３の内側下方から拡大視した斜視図である。セグメント３１ａに連結されるセグメント３１ｂのリブ３４には、孔３４ａと同一軸線上にナット３２ｂが、溶接等により固定されている。セグメント３１ａの外側から挿入されたボルト３２ａの先端は、セグメント３１ｂの内側で、リブ３４に固定されているナット３２ｂと螺合している。
【００３０】
（補強部材）
図４は、補強部材３５の取付構造を説明する図である。
図２、図４に示すように、補強部材３５は、セグメント３１の耐圧強度を高めるものである。補強部材３５は、一端部が後に打設される中詰材５に埋設され、他端部がセグメント３１に連結される。
【００３１】
セグメント３１ａを補強する補強部材３５ａ（第１の補強部材）は、例えば、棒状の鉄筋から形成されている。補強部材３５ａの一端部には、ネジ山が形成されている。このネジ山部分が金属製の受圧板３６に挿通されており、両側からナットによって受圧板３６を挟み込んでナットをネジ山に螺合させて受圧板３６を補強部材３５ａに固定している。
補強部材３５ａの他端部は、一端部側に折り返すようにフック状に湾曲されている。セグメント３１ａに対する補強部材３５ａの連結は、隣接するセグメント３１間に挟持された係止片３７の連結孔３７ａにフック状の補強部材３５ａの他端部を引っかけることによって行われる。ここで、係止片３７には、ボルト３２ａの挿通孔３７ｂが形成されており、隣接するセグメント３１同士を連結するボルト３２ａが挿通されることにより、係止片３７はセグメント３１とともに連結される。すなわち、係止片３７を、隣接するセグメント３１ａ、３１ｂ双方に固定するボルトは、隣接するセグメント３１ａ、３１ｂの連結に用いるボルト３２ａを利用する。挿通孔３７ｂはそれぞれ、両セグメント３１ａ、３１ｂの孔３４ａと整合するような間隔をおいて形成されている。なお、係止片３７は、ボルト３２ａによる連結に限らず、リブ３４に溶接によって接合されていてもよい。また、係止片３７は、上流壁部３の幅方向に隣接するセグメント３１ａ、３１ｂの間に配置されているが、上流壁部３の高さ方向に隣接するセグメント３１ａ、３１ｂの間に配置されていてもよい。補強部材３５ａの一端部は、中詰材５に埋設されている。
【００３２】
セグメント３１ｂを補強する補強部材３５ｂ（第２の補強部材）は、例えば、棒状の鉄筋から形成されている。補強部材３５ｂの一端部には、ネジ山が形成されている。このネジ山部分が金属製の受圧板３６に挿通されており、両側からナットによって受圧板３６を挟み込んでナットをネジ山に螺合させて受圧板３６を補強部材３５ｂに固定している。
補強部材３５ｂの他端部は、補強部材３５ｂの長手方向に対して交差する方向に湾曲するように形成されている。この湾曲された部分にはネジ山が形成されている。セグメント３１ｂに対する補強部材３５ｂの連結は、補強部材３５ｂの他端部を、隣接しているセグメント３１ｂ双方の孔３４ａに挿通して、挿通した側とは反対側にあるセグメント３１ｂ側でナットを介して締め付けることによって行われる。補強部材３５ｂの一端部は、中詰材５に埋設されている。
【００３３】
なお、セグメント３１ａの、上流壁部３における位置は任意に設定することができる。例えば、土石流等の土砂災害が発生した場合に上流壁部３が被る被害が最も少ない、河川の少なくとも一方の岸に隣接する上流壁部３の袖部に、セグメント３１ａを配置することが好ましい。
【００３４】
３．下流壁部
図１に示すように、下流壁部４は、下流側の基礎部２の上面に設けられていることから、下流壁部４は、河川の下流側に対向するように設けられている。
下流壁部４は、複数のセグメント４１が、ボルト及びナットを備える締結具で連結されて構成されている。隣接するセグメント４１の上下端縁が、互いに同じ高さにならないように、隣接するセグメント４１同士は上下方向に互い違い（千鳥状）に配置されている。セグメント４１は、コンクリート製のパネルで構成されている。基礎部２の近傍のセグメント４１には、支持部材及び補強部材（図示せず）が連結されている。
なお、隣接するセグメント４１の間にはシール部材としての止水テープ（図示せず）を貼り付けてもよい。また、下流壁部４の構成を上流壁部３と同様に、複数のセグメントを連結して構成してもよい。
【００３５】
４．中詰材
図１に示すように、中詰材５は、上流壁部３と下流壁部４との間にある空間Ｓ内に打設されるものであり、流動性を有する。
具体的に、中詰材５は、堰堤１を設置する現場の現地発生土にセメントと水を混合して作成したソイルセメントである。ここで用いられるソイルセメントは、スランプの程度について問われることはない。すなわち、堰堤１は、ソイルセメントの流動性があってもなくても対応可能な堰堤であることを意味する。したがって、現地発生土の性状がどのようなものであっても、セメントと水の量を調整することで堰堤として構築することができる。
【００３６】
＜堰堤の施工方法＞
次に、ソイルセメント（中詰材）を用いた堰堤の施工方法について説明する。
【００３７】
堰堤１の施工位置にコンクリートを打設し、基礎部２を構築する。構築した基礎部２の上に、底面通し材２１を設置する。設置された底面通し材２１の上に所定の間隔をあけて、上流壁部３のセグメント３１、及び下流壁部４のセグメント４１をそれぞれ積み上げていき、一回のソイルセメント打設分の高さに相当するセグメント３１の壁を構築する。なお、セグメント３１の壁の構築の際に、それぞれの補強部材３５も、セグメント３１に連結しておく。
上流壁部３の構築の際には、複数のセグメント３１の一部を、その孔３４ａが、堰堤１の外側に露出するように、他のセグメント３１と表裏逆向きにして積み上げる。
互いに表裏逆向きになって隣接している一部のセグメント３１同士は、堰堤１の外側からボルト３２ａを孔３４ａに挿通し、挿通した側とは反対側にあるセグメント３１側で、ボルト３２ａの先端とナット３２ｂを螺合させて連結する。つまり、上流壁部３においては、上流壁部３の外側から、一部のセグメント３１同士の連結作業を行う。
【００３８】
上記作業後、又は、この作業に並行して、施工現場に混合施設（混合枡）を設け、この混合施設内で現場発生土にセメント及び水を加えて混合し、中詰材５としてのソイルセメントを作成する。なお、この混合作業は、現場発生土を掘削したバックホウのバケットを利用して現場発生土とセメントと水とを混合する。
次に、作成したソイルセメントを上流壁部３と下流壁部４との間にできた空間Ｓ内に打設する。打設作業は、コンクリートバケットをクレーン等で吊して行う。
次に、コンクリート用のバイブレータを用いて、打設したソイルセメントを締め固める。
なお、ソイルセメントは、上記のように水とセメントを混ぜてスランプを有するようなソイルセメントであってもよいし、スランプ値がゼロのソイルセメントであってもよい。スランプ値がゼロのソイルセメントを打設する際には、上流壁部３と下流壁部４との間にある空間Ｓに打設して、敷き均した後、締め固める。
【００３９】
ソイルセメントの養生、固化後、次のソイルセメント打設分の高さに相当する上流壁部３及び下流壁部４を構築し、ソイルセメントを打設する。この場合において、係止片３７は、セグメント３１の積み上げ工程時に、任意の隣接するセグメント３１の間で固定しておく。
この作業を所定の高さまで繰り返した後、天端に保護コンクリート１２を打設し、これをもって堰堤１が完成する。
【００４０】
＜作用、効果＞
以上のような構成を有する堰堤１によれば、上流壁部３を構成するセグメント３１の一部のセグメント３１ａが、上流壁部３の外側でセグメント３１ａに隣接するセグメント３１ｂにボルト３２ａによって連結されているので、中詰材５の経年変化や劣化状況を点検する際、又は損傷したセグメント３１を交換する際、堰堤１の外側からボルト３２ａを、セグメント３１ｂ側のナット３２ｂから簡単に取り外すことができる。よって、セグメント３１ａを切断することなく、簡単に上流壁部３から取り外すことができるので、堰堤１の点検・補修における作業負担の大幅な軽減を図ることができる。
ナット３２ｂを孔３４ａと同一軸線上にセグメント３１ｂに固定しておくことで、作業者は、ボルト３２ａだけを孔３４ａに挿入して回すだけでよいので、セグメント３１を連結する際の作業性が向上する。
補強部材３５の一端をセグメント３１に連結し、他端を中詰材５に埋設することで、上流壁部３の耐圧強度を向上させることができる。
ボルト３２ａを、上流壁部３の外側から外すことで、セグメント３１と係止片３７との連結も解除できるので、セグメント３１と補強部材３５ａとの連結も簡単に解除することができる。よって、セグメント３１に補強部材３５ａが連結されている場合であっても、セグメント３１を上流壁部３から簡単に取り外すことができる。
【００４１】
[第２の実施形態]
次に、本発明の第２の実施形態について説明する。第２の実施形態が第１の実施形態と異なる点は、上流壁部の構成であるため、以下では、上流壁部の構成についてのみ説明し、第１の実施形態と同じ構成については、同一符号を付して説明を省略する。
【００４２】
図５は、上流壁部３Ａを堰堤１の内部から見た斜視図である。図５に示すように、上流壁部３Ａを構成する全てのセグメント３１ｃは、リブ３４の孔３４ａが上流壁部３Ａの外側に露出するように配置されている。すなわち、上流壁部３Ａを構成するセグメント３１ｃの全部が、当該上流壁部３Ａの外側でボルト３２ａ及びナット３２ｂによって連結されている。
【００４３】
図６（ａ）、（ｂ）は、セグメント３１ｃ同士の連結構造を示す図である。図６（ａ）、（ｂ）に示すように、ボルト３２ａは、上流壁部３Ａの外側で、隣接するセグメント３１ｃの孔３４ａに挿通されて、挿通した側とは反対側にあるセグメント３１ｃ側でナット３２ｂを介して締め付けられている。
図６（ａ）においては、第１の実施形態とは異なり、セグメント３１ｃのリブ３４には、リブ３４の孔３４ａと同一軸線上にナット３２ｂが溶接等により固定されていないが、ナット３２ｂは、リブ３４に固定されていてもよい。
【００４４】
図７は、セグメント３１ｃへの補強部材３５ａの連結構造を示す図である。図７に示すように、全てのセグメント３１ｃは、リブ３４の孔３４ａが上流壁部３Ａの外側に露出するように配置されているため、補強部材３５ａは、隣接するセグメント３１ｃ間に設けられた係止片３７に引っかけられている。
【００４５】
以上のように、上流壁部３Ａを構成する全てのセグメント３１ｃを、リブ３４の孔３４ａが上流壁部３Ａの外側に露出するように配置することで、どのセグメント３１ｃも簡単に取り外すことができる。これにより、土石流の発生により、どのセグメント３１ｃが損傷しても損傷したセグメント３１ｃだけを簡単に交換することができる。また、中詰材５の性状を点検する際においても、どの位置でも点検することができるようになるため、中詰材５の検査の精度を高めることができる。
【００４６】
＜その他＞
なお、本発明は、上記実施形態に限られるものではない。上記実施形態においては、上流壁部を複数のセグメントで構成し、少なくとも一部のセグメントを他のセグメントに対して表裏逆に配置しているが、下流壁部を複数のセグメントで構成し、少なくとも一部のセグメントを他のセグメントに対して表裏逆に配置してもよい。
【符号の説明】
【００４７】
１  堰堤
２  基礎部
３、３Ａ  上流壁部
４  下流壁部
５  中詰材
１２  保護コンクリート
３１  セグメント
３１ａ  セグメント
３１ｂ  セグメント
３２  締結具
３２ａ  ボルト
３２ｂ  ナット
３３  プレート
３４  リブ
３４ａ  孔
３５  補強部材
３５ａ  補強部材
３５ｂ  補強部材
３７  係止片
３７ａ  連結孔
３７ｂ  挿通孔
【図１】
0006431390.tif 000002
【図２】
0006431390.tif 000003
【図３】
0006431390.tif 000004
【図４】
0006431390.tif 000005
【図５】
0006431390.tif 000006
【図６】
0006431390.tif 000007
【図７】
0006431390.tif 000008